(57)【要約】【課題】画面表示能力等の性能が異なる複数の異機種の端末を組み合わせてシステムを構成した場合に、各端末に対して適切な情報を提供できるようにする。【解決手段】ハイブリッド端末システム１には、性能が異なる複数の異機種の端末７、８と、これらの端末と情報を送受信することが可能なサーバ装置５とが含まれる。各端末７、８は、その端末の発信機種を表す識別情報が付加された所定の要求をサーバ装置５へ送信する。サーバ装置５は、ある端末から所定の要求が送られてきた場合に、当該要求に付加されている発信機種を表す識別情報に基づいて、その端末へ送信すべき送信内容、送信内容の形式、送信内容の容量のうちの少なくとも一つを決定する。サーバ装置５は、決定した結果に基づいて、要求元の端末へ送信すべき情報を作成し、作成した情報を要求元の端末へ送信する。【選択図】    図１
2004302848.tif 000002
【特許請求の範囲】
【請求項１】
性能が異なる複数の異機種の端末と情報を送受信することが可能なサーバ装置であって、
ある端末から所定の要求が送られてきた場合に、当該要求に付加されている発信機種を表す識別情報に基づいて、その端末へ送信すべき送信内容、送信内容の形式、送信内容の容量のうちの少なくとも一つを決定する決定手段と、
前記決定手段により決定された結果に基づいて、前記要求元の端末へ送信すべき情報を作成する作成手段と、
前記作成手段により作成された情報を前記要求元の端末へ送信する送信手段と
を具備することを特徴とするサーバ装置。
【請求項２】
前記決定手段は、前記要求元の端末の機種に対応する画面サイズに応じた画像を送信することを決定することを特徴とする請求項１記載のサーバ装置。
【請求項３】
前記決定手段は、前記要求に付加されている発信者を表す識別情報に基づいて前記送信内容を決定することを特徴とする請求項１記載のサーバ装置。
【請求項４】
前記決定手段は、前記サーバ装置から各端末へ情報を送信する際の送信内容、送信内容の形式、送信内容の容量のうちの少なくとも一つが端末の機種毎に定義された情報を参照することによって、前記決定を行うことを特徴とする請求項１記載のサーバ装置。
【請求項５】
性能が異なる複数の異機種の端末と、これらの端末と情報を送受信することが可能なサーバ装置とを含む情報端末システムであって、
各端末は、その端末の発信機種を表す識別情報が付加された所定の要求を前記サーバ装置へ送信する送信手段と具備し、
前記サーバ装置は、
ある端末から所定の要求が送られてきた場合に、当該要求に付加されている発信機種を表す識別情報に基づいて、その端末へ送信すべき送信内容、送信内容の形式、送信内容の容量のうちの少なくとも一つを決定する決定手段と、
前記決定手段により決定された結果に基づいて、前記要求元の端末へ送信すべき情報を作成する作成手段と、
前記作成手段により作成された情報を前記要求元の端末へ送信する送信手段と
を具備することを特徴とする情報端末システム。
【請求項６】
前記送信手段により送信される要求には、発信者を表す識別情報が更に付加されており、
前記決定手段は、前記要求に付加されている発信者を表す識別情報に基づいて前記送信内容を決定することを特徴とする請求項５記載の情報端末システム。
【請求項７】
前記複数の端末のうちの少なくとも一つの端末は、紙葉類もしくは生体物から情報を読み取ることが可能な情報読取機能を通じて前記発信者を表す識別情報を取得する手段を具備することを特徴とする請求項６記載の情報端末システム。
【請求項８】
前記サーバ装置と前記複数の端末との間の接続制御を行う複数のアクセスポイントを更に具備し、
前記サーバ装置は、前記複数のアクセスポイントのうちのどのアクセスポイントを通じて前記要求が送られてきたかを確認することにより、当該要求元の端末の位置を把握する手段を有することを特徴とする請求項５又は６載の情報端末システム。
【請求項９】
前記複数の端末のうちの少なくとも一つの端末は、一操作で前記要求を前記サーバ装置へ送信させるためのボタンを具備することを特徴とする請求項５又は６記載の情報端末システム。
【請求項１０】
前記複数の端末のうちの少なくとも一つの端末は、前記サーバ装置との常時接続状態を維持する第１のモードと一操作で前記サーバ装置との接続状態を確立する第２のモードとを切り替え可能とする手段を具備することを特徴とする請求項５又は６記載の情報端末システム。
【請求項１１】
性能が異なる複数の異機種の端末と、これらの端末と情報を送受信することが可能なサーバ装置とを含む情報端末システムに適用される情報通信方法であって、
ある端末から、その端末の発信機種を表す識別情報を付加した所定の要求を前記サーバ装置へ送信し、
ある端末から前記サーバ装置へ前記要求が送られてきた場合に、当該要求に付加されている発信機種を表す識別情報に基づいて、その端末へ送信すべき送信内容、送信内容の形式、送信内容の容量のうちの少なくとも一つを決定し、
前記決定の結果が反映された情報を前記要求元の端末へ送信することを特徴とする情報通信方法。
【請求項１２】
前記送信される要求には、発信者を表す識別情報が更に付加されており、
前記要求に付加されている発信者を表す識別情報に基づいて前記送信内容を決定する
ことを特徴とする請求項１１記載の情報通信方法。
【発明の詳細な説明】
【０００１】
【発明の属する技術分野】
本発明は、複数の端末と情報の送受信を行うサーバ装置、情報端末システム、及び情報通信方法に関し、特に、画面表示能力などの性能が異なる複数の異機種の端末を扱う技術に関する。
【０００２】
【従来の技術】
例えば、ＨＩＳ（病院総合情報システム、電子カルテシステム）を基幹とする看護支援システム、プラント保守点検や現場監視を行う監視システム、宅配や貨物の受け渡し管理を行う物流管理システム等においては、情報処理を行うために各種の端末が使用されている。
【０００３】
このような現場でよく使用される端末の機種としては、優れた画面表示能力や大容量の処理能力を有するパーソナルコンピュータ（以下、ＰＣと称す）と、ＰＣほどの処理能力はないものの、手のひらサイズに小型軽量化され携帯性・機動性に優れたＰＤＡ（Ｐｅｒｓｏｎａｌ  Ｄｉｇｉｔａｌ  Ａｓｓｉｓｔａｎｔｓ）に代表される携帯情報端末（以下、ＰＤＡと称す）とが挙げられる。
【０００４】
一般に、現場では、機種に応じてシステム構成を分けたり、独立したシステムを併用したりしており、目的や用途に応じてＰＣとＰＤＡとを使い分けるようにしている。
【０００５】
一方、異なる機種を組み合わせて１つのシステムを構成し、各端末において同じ情報を表示できるようにしたものもある。例えば、特許文献１には、携帯電話とパーソナルコンピュータとがネットワークを介して接続される医療介護支援システムが開示されている。
【０００６】
【特許文献１】
特開２００２−１６９８８８号公報
【０００７】
【発明が解決しようとする課題】
しかしながら、画面表示能力などの性能が異なる複数の異機種の端末を組み合わせて１つのシステムを構成すると、例えば高機能の機種であるＰＣの機能を低機能の機種であるＰＤＡの機能のレベルに合わせて運用しなければならない等の制限があるため、ＰＣの性能を十分に生かせないという問題が生じる。また、ＰＣでは余裕をもって処理できる量の情報をＰＤＡ側で処理させたときには、記録処理や表示処理が正常に行われなくなる場合があるという問題もある。また、各端末の使用者が頻繁に変わる環境のもとでは、その使用者に適した情報を表示させる等の処理が困難になるという問題もある。
【０００８】
本発明は上記実情に鑑みてなされたものであり、画面表示能力などの性能が異なる複数の異機種の端末を組み合わせてシステムを構成した場合に、各端末に対して適切な情報を提供することが可能なサーバ装置、通信システム、及び情報処理方法を提供することを目的とする。
【０００９】
【課題を解決するための手段】
本発明に係るサーバ装置は、性能が異なる複数の異機種の端末と情報を送受信することが可能なサーバ装置であって、ある端末から所定の要求が送られてきた場合に、当該要求に付加されている発信機種を表す識別情報に基づいて、その端末へ送信すべき送信内容、送信内容の形式、送信内容の容量のうちの少なくとも一つを決定する決定手段と、前記決定手段により決定された結果に基づいて、前記要求元の端末へ送信すべき情報を作成する作成手段と、前記作成手段により作成された情報を前記要求元の端末へ送信する送信手段とを具備することを特徴とする。
【００１０】
また、本発明に係る情報端末システムは、性能が異なる複数の異機種の端末と、これらの端末と情報を送受信することが可能なサーバ装置とを含む情報端末システムであって、各端末は、その端末の発信機種を表す識別情報が付加された所定の要求を前記サーバ装置へ送信する送信手段と具備し、前記サーバ装置は、ある端末から所定の要求が送られてきた場合に、当該要求に付加されている発信機種を表す識別情報に基づいて、その端末へ送信すべき送信内容、送信内容の形式、送信内容の容量のうちの少なくとも一つを決定する決定手段と、前記決定手段により決定された結果に基づいて、前記要求元の端末へ送信すべき情報を作成する作成手段と、前記作成手段により作成された情報を前記要求元の端末へ送信する送信手段とを具備することを特徴とする。
【００１１】
また、本発明に係る情報通信方法は、性能が異なる複数の異機種の端末と、これらの端末と情報を送受信することが可能なサーバ装置とを含む情報端末システムに適用される情報通信方法であって、ある端末から、その端末の発信機種を表す識別情報を付加した所定の要求を前記サーバ装置へ送信し、ある端末から前記サーバ装置へ前記要求が送られてきた場合に、当該要求に付加されている発信機種を表す識別情報に基づいて、その端末へ送信すべき送信内容、送信内容の形式、送信内容の容量のうちの少なくとも一つを決定し、前記決定の結果が反映された情報を前記要求元の端末へ送信することを特徴とする。
【００１２】
【発明の実施の形態】
以下、図面を参照して本発明の実施形態を説明する。
図１は、本発明の一実施形態による情報管理システムの全体構成を示すブロック図である。
本情報管理システムは、ＨＩＳ（病院総合情報システム、電子カルテシステム）を基幹とする看護支援システム、プラント保守点検や現場監視を行う監視システム、宅配や貨物の受け渡し管理を行う物流管理システム等に適用可能である。この実施形態では、本情報管理システムをＨＩＳに適用した場合を例にとって説明する。
【００１３】
本情報管理システムは、図１に示されるように、ハイブリッド端末システム（情報端末システム）１、基幹システム２、および部門システム３を含む。これらのハイブリッド端末システム１、基幹システム２、および部門システム３は、ＬＡＮ４を通じて互いに通信できるようになっている。
【００１４】
ハイブリッド端末システム１は、サーバ装置５、複数のアクセスポイント６、ＰＣ７、ＰＤＡ８などを含む。また、共通する通信インタフェース規格（ＬＡＮなど）の仕様に準拠した通信装置５１、７１、８１が、それぞれサーバ装置５、ＰＣ７、ＰＤＡ８に搭載される。これらの通信装置は、それぞれサーバ装置５、ＰＣ７、ＰＤＡ８に内蔵された構成としてもよく、カード等の形状で外部より接続された構成としてもよい。
【００１５】
サーバ装置５は、ＬＡＮ４を通じて基幹システム２や部門システム３との間で情報の送受を行うとともに、通信装置５１およびアクセスポイント６を通じてＰＣ７やＰＤＡ８との間で情報の送受を行うことが可能である。このサーバ装置５は、要求元の端末からの各種要求に応じ、要求元の端末の機種に応じた適切な情報（要求元の端末での画面サイズに適した表示情報など）を当該要求元の端末へ提供したり、指定されている宛先の端末へ適切な情報（発信者に応じた送信内容）を提供したりする。
【００１６】
複数のアクセスポイント６は、それぞれ異なる位置に設置されており、これらの各位置は有線ＬＡＮを通じてサーバ装置５により事前に把握されている。これらのアクセスポイント６は、サーバ５の通信装置５１と各端末の通信装置（例えば、ＰＣ７の通信装置７１やＰＤＡ８の通信装置８１）との間の接続を行い、双方向の通信を可能とする。
【００１７】
なお、ＰＣ７は、ＰＤＡ８と比較すると、優れた画面表示能力・大容量処理能力を有するパーソナルコンピュータに相当する。一方、ＰＤＡ８は、ＰＣほどの能力はないものの、手のひらサイズに小型軽量化され携帯性・機動性に優れた携帯情報端末に相当する。当然のことながら、ＰＣ７とＰＤＡ８とは、性能が異なる異機種の端末同士である。本実施形態では、このようなＰＣ７とＰＤＡ８とを含む異機種の端末が複数使用され、且つ、各端末の使用者（例えば、医師、看護師）も定期的にもしくは不定期に変わる場合があるものとする。
【００１８】
基幹システム２は、病院等で扱われるあらゆる情報を集中して管理しているシステムである。また、部門システム３は、所定の部門に関わる情報を管理しているシステムである。
【００１９】
図２は、サーバ装置５およびＰＣ７に共通する内部構成の一例を示すブロック図である。
サーバ装置５およびＰＣ７（以下、ＰＣと称す）は、ＣＰＵ２１、ノースブリッジ２２、主メモリ２３、ビデオコントローラ２４、表示部２５、サウスブリッジ２６、ＨＤＤ（Ｈａｒｄ  Ｄｉｓｋ  Ｄｒｉｖｅ）２７、マルチドライブ２８、有線ＬＡＮコントローラ２９、無線ＬＡＮコントローラ３０、ＰＣカードコントローラ３１、ＢｌｕｅｔｏｏｔｈＴＭコントローラ３２、ＢＩＯＳ−ＲＯＭ（Ｂａｓｉｃ  Ｉｎｐｕｔ／Ｏｕｔｐｕｔ  Ｓｙｓｔｅｍ  ＲＯＭ）３３、ＥＣ／ＫＢＣ（Ｅｍｂｅｄｄｅｄ  Ｃｏｎｔｒｏｌｌｅｒ／Ｋｅｙｂｏａｒｄ  Ｃｏｎｔｒｏｌｌｅｒ）３４、電源コントローラ（ＰＳＣ）３５、バッテリ３６、キーボード（ＫＢ）３７、マウス用インタフェース（Ｉ／Ｆ）３８、マウス３９、Ｉ／Ｏコントローラ４０などを備えている。
【００２０】
ＣＰＵ２１は、ＰＣ全体の制御を司るものであり、主メモリ２３をワークエリアとして使用し、例えば各種アプリケーションプログラムなどを実行する。
ノースブリッジ２２は、ＣＰＵ２１とサウスブリッジ２６との間のブリッジ処理、主メモリ２３の制御、ビデオコントローラ２４の制御などを行う各種コントローラを備えている。
主メモリ２３は、ＣＰＵ２１により処理されるＯＳ、各種アプリケーション、各種ドライバなどを保持し、ＣＰＵ２１のワークエリアとして提供される。
【００２１】
ビデオコントローラ２４は、ＡＧＰ（Ａｃｃｅｌｅｒａｔｅｄ  Ｇｒａｐｈｉｃｓ  Ｐｏｒｔ）を介してノースブリッジ２２に接続されており、表示部２５に表示すべきデータの制御を行う。
表示部２５は、ビデオコントローラ２４から送られてくるデータを画面上に表示するものであり、ＬＣＤ（Ｌｉｑｕｉｄ  Ｃｒｙｓｔａｌ  Ｄｉｓｐｌａｙ）を備えている。
【００２２】
サウスブリッジ２６は、ハブリンクを介してノースブリッジ２２に接続されており、ＬＰＣ（Ｌｏｗ  Ｐｉｎ  Ｃｏｕｎｔ）バス上の各種デバイス（ＥＣ／ＫＢＣ３４、Ｉ／Ｏコントローラなど）や、ＰＣＩ（Ｐｅｒｉｐｈｅｒａｌ  Ｃｏｍｐｏｎｅｎｔ  Ｉｎｔｅｒｃｏｎｎｅｃｔ）バス上の各種ＰＣＩデバイス（有線ＬＡＮコントローラ２９、無線ＬＡＮコントローラ３０、ＰＣカードコントローラ３１など）や、ＩＤＥ（Ｉｎｔｅｇｒａｔｅｄ  Ｄｒｉｖｅ  Ｅｌｅｃｔｒｏｎｉｃｓ）対応のディスクドライブや、ＵＳＢデバイスなどの制御を行う各種コントローラを備えている。
【００２３】
ＨＤＤ２７は、プライマリＩＤＥに対応するデバイスとしてサウスブリッジ２６に接続されており、ＯＳや各種プログラムなどを記憶する内蔵のハードディスクを駆動する。
マルチドライブ２８は、セカンダリＩＤＥに対応するデバイスとしてサウスブリッジ２６に接続されており、リムーバブルな記録媒体であるＣＤ−ＲＯＭ、ＤＶＤ−ＲＯＭ、ＣＤ−Ｒ／ＲＷを駆動する。
【００２４】
有線ＬＡＮコントローラ２９は、ＰＣＩデバイスとしてサウスブリッジ２６に接続されており、有線ＬＡＮの仕様に準拠する通信機能を備え、同じ通信機能を備えた通信装置との間で通信を行うものである。
無線ＬＡＮコントローラ３０は、ＰＣＩデバイスとしてサウスブリッジ２６に接続されており、無線ＬＡＮの仕様に準拠する通信機能を備え、同じ通信機能を備えた通信装置との間で無線通信を行うものである。
【００２５】
ＰＣカードコントローラ３１は、ＰＣＩデバイスとしてサウスブリッジ２６に接続されており、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）の仕様に準拠し、各種のＰＣカードを制御するものである。
Ｂｌｕｅｔｏｏｔｈコントローラ３２は、ＵＳＢデバイスとしてサウスブリッジ２６に接続されており、Ｂｌｕｅｔｏｏｔｈの仕様に準拠する無線通信機能を備え、同じ通信機能を備えた通信装置との間で無線通信を行うものである。
【００２６】
ＢＩＯＳ−ＲＯＭ３３は、ＬＰＣバスに接続されており、電源が投入された際に主にＰＣ内のハードウェアに対する設定処理などを行うＢＩＯＳを格納している。
ＥＣ／ＫＢＣ３４は、ＬＰＣバスに接続されており、電源スイッチ（ＳＷ）に対する電源投入操作の検出、電源コントローラ３５やキーボード３７等の入力装置の制御などを行う。このＥＣ／ＫＢＣ３４は、組み込みコントローラであるＥＣ（Ｅｍｂｅｄｄｅｄ  Ｃｏｎｔｒｏｌｌｅｒ）とキーボードコントローラとを一体化したものである。
【００２７】
電源コントローラ３５は、Ｉ２Ｃバスを介してＥＣ／ＫＢＣ３４に接続されており、ＰＣ内の各部に供給する電圧を制御する。
バッテリ３６は、ＰＣの移動時など外部からの電源供給が無い場合にはＰＣ内の各部に供給する電源として使用される。
キーボード３７は、ＥＣ／ＫＢＣ３４に接続されており、各種キーの押下に対応した入力信号をＫＢＣに通知するものである。
【００２８】
マウス用インタフェース３８は、マウス３９とＥＣ／ＫＢＣ３４との間の信号のインタフェースを行うものである。
【００２９】
マウス３９は、マウス用インタフェース３８に接続されており、クリック操作などにより入力を行うものである。
【００３０】
Ｉ／Ｏコントローラ４０は、ＬＰＣバスに接続されており、外部とシリアル信号やパラレル信号の入出力制御を行うと共に、ＦＤＤ３９との入出力制御をも行う。
【００３１】
本実施形態では、前述の通信装置５１（図１）に該当するものとして、例えば有線ＬＡＮコントローラ２９が採用される。なお、ＰＣカードコントローラ３１に別途装着されるＬＡＮカードなどを採用するようにしてもよい。また、状況に応じて、無線ＬＡＮコントローラ３０を用いてもよい。
【００３２】
このＰＣにおいては、ＣＰＵ２１の制御のもとで、主メモリ２３上に常駐している通信制御プログラム（所定のアプリケーション）が有線ＬＡＮコントローラ２９などと協働して所定の通信制御を実行する。
【００３３】
図３は、ＰＤＡ８の内部構成の一例を示すブロック図である。
ＰＤＡ８は、ＣＰＵ４１、主メモリ４２、記録媒体４３、バッテリ４４、表示部４５、入力部４６、カードコントローラ４７、通信カード４８などを備えている。
【００３４】
ＣＰＵ４１は、ＰＤＡ８全体の制御を司るものであり、主メモリ４２をワークエリアとして使用し、例えば各種アプリケーションプログラムなどを実行する。
記録媒体４３は、ＯＳや各種プログラム、各種データなどを記憶するものである。
【００３５】
バッテリ４４は、ＰＤＡ８の移動時など外部からの電源供給が無い場合にはＰＤＡ８内の各部に供給する電源として使用される。
表示部４５は、通信カード４８で受信される情報などを画面上に表示するものであり、ＬＣＤ（Ｌｉｑｕｉｄ  Ｃｒｙｓｔａｌ  Ｄｉｓｐｌａｙ）を備えている。
【００３６】
入力部４６は、各種のボタンやタブレット、ペンなどに相当するものである。なお、この入力部４６には、サーバ装置５との常時接続状態を維持する第１のモードと、一操作でサーバ装置５との接続状態を確立する第２のモード（ワンタッチ送信モード）とを切り替え可能とするモード切替ボタンを含めるようにしてもよい。このモード切り替えは、端末のメニュー画面などを介して行うこともできる。
【００３７】
また、入力部４６には、一操作で所定の要求（自身への情報送信要求、もしくは指定した宛先への情報送信要求）をサーバ装置５へ送信させる要求送信ボタンが含まれている。第２のモードが設定されている状態で、上記要求送信ボタンを押下した場合には、サーバ装置５との接続状態を確立する処理が行われると共に、所定の要求が自動的にサーバ装置５へ送信されるようになっている。また、入力部４６には、サーバ装置５への要求の種類（自身への情報送信要求、もしくは指定した宛先への情報送信要求）を設定するための要求種切替ボタンも含めるようにしてもよい。
【００３８】
カードコントローラ４７は、所定のカードインタフェース規格の仕様に準拠し、カードを制御するものである。通信カード４８は、所定の無線通信機能を備え、同じ通信機能を備えた通信装置との間で無線通信を行うものである。
本実施形態では、前述の通信装置８１（図１）に該当するものとして、例えば通信カード４８が採用される。
【００３９】
このＰＤＡ８においては、ＣＰＵ４１の制御のもとで、主メモリ４２上に常駐している通信制御プログラム（所定のアプリケーション）が通信カード４８などと協働して所定の通信制御を実行する。
【００４０】
図４は、各端末からサーバ装置５へ送信される送信情報の構成を示す図である。
【００４１】
一般に、送信情報は、通信プロトコルに基づき、ヘッダに「自己アドレス」および「宛先アドレス」が付加され、その後に実データとしての「送信内容（要求内容も含む）」が配置される。自己アドレスとしては、一般に、最初から特定のアドレス（固定アドレス）が付番される場合と、送信を行う度に異なるアドレスが付番される場合とがある。制限された条件下では、サーバ装置は、情報発信元の端末を特定することができる。しかし、種々な機種の端末から送信情報をサーバ装置が受ける場合、サーバ装置の側では、送信情報の発信端末の機種を特定することができない。また、そのときの発信者が誰なのかも特定することができない。
【００４２】
そこで本実施形態では、上記送信情報において、「発信者ＩＤ（ユーザＩＤ）」および「発信子機ＩＤ」を配置するための領域が更に設けられる。すなわち、図４に示されるように、ヘッダにおいて「自己アドレス」および「宛先アドレス」の領域があり、その後に「発信者ＩＤ（ユーザＩＤ）」、「発信子機ＩＤ」、「送信内容（要求内容も含む）」の領域が設けられる。なお、「発信子機ＩＤ」を必ずしも指定する必要はなく、端末の機種がＰＣである場合には省略するようにしてもよい。この場合、「発信子機ＩＤ」が未指定のときは、サーバ装置５の側では当該端末の機種がＰＣであるものと判別する。
【００４３】
これにより、サーバ装置５の側では、受信される送信情報から、いつ誰がどのような機種の端末を使用しているのかを判別でき、更には、その機種の端末にはどのような表示内容を表示させればよいのか、また、指定されている宛先にはどのような表示内容を送信すればよいのか等を判別できるようになっている。
【００４４】
また、例えば業務連絡呼び出しはどの端末に対して行うべきか、ナースコールはどの端末に対して行うべきかを適切に判断することができる。また、呼び出し表示の形式や音などに関しても、端末の機種に応じた適切なものを決めることができる。
【００４５】
図５は、ＰＣ７側およびＰＤＡ８側の通信制御プログラムにより実現される機能の構成を示すブロック図である。
【００４６】
情報読取装置５１は、病院に従事する者のＩＤ証明書などの紙葉類に記されたバーコード、画像、もしくは指紋等の生体物から情報を読み取る機能を有する。なお、この情報読取装置５１は、ＰＣ７およびＰＤＡ８の内部に組み込まれたものであってもよいし、ＰＣ７およびＰＤＡ８に外部から接続されたものであってもよい。
【００４７】
ＩＤ情報取得部５２は、情報読取装置５１により読み取られた情報に基づいて個人認証を行い、当該端末のユーザＩＤを特定する機能に相当する。また、ＩＤ情報取得部５２は、当該端末の機種を表す発信子機ＩＤを予め保持している。
【００４８】
送信情報作成部５３は、端末の使用者からの送信指示に応じて、所定の要求に相当する送信情報（図４）を作成する機能に相当する。この場合、送信情報作成部５３は、「自己アドレス」および「宛先アドレス」の後に、ＩＤ情報取得部５２から得られる「発信者ＩＤ（ユーザＩＤ）」（および「発信子機ＩＤ」）を所定の領域に配置し、更に「送信内容（要求内容も含む）」を配置する。
【００４９】
情報送信処理部５４は、送信情報作成部５３により作成された送信情報をサーバ装置５へ送信する機能に相当する。
情報受信処理部５５は、サーバ装置５等から送信されてくる情報を受信処理する機能に相当する。受信処理においては、例えば、受信した情報が表示部４５（図３）の画面に表示される。
【００５０】
図６は、サーバ装置５側の通信制御プログラムにより実現される機能の構成を示すブロック図である。
【００５１】
参照テーブル６１は、主メモリ２３（図２）の所定の記憶領域にて保持される情報である。この参照テーブル６１には、サーバ装置５から各端末（ＰＣ７、ＰＤＡ８など）へ情報を送信する際の「送信内容」、「送信内容の形式」、「送信内容の容量」のほかに、端末の「画面サイズ」、「発信子機ＩＤ」が、端末の機種毎に定義されている。これにより、例えば、情報送信要求元の端末の機種の画面サイズに応じた画像を提供できることとなる。
【００５２】
また、この参照テーブル６１には、各端末へ送信すべき「送信内容」が、発信者ＩＤ（端末のユーザＩＤ）毎に定義されている。例えば、発信者ＩＤが医師に該当する場合は、「送信内容」を医師用のメニュー画面表示情報とする。また、発信者ＩＤが看護士に該当する場合は、「送信内容」を看護師用のメニュー画面表示情報とする。
【００５３】
情報受信処理部６２は、宛先の端末（ＰＣ７、ＰＤＡ８など）から送信されてくる情報を受信処理する機能に相当する。
【００５４】
受信処理解析部６３は、情報受信処理部６２により受信された情報を解析する機能に相当する。この解析においては、情報に含まれている「自己アドレス」および「宛先アドレス」、「発信者ＩＤ（ユーザＩＤ）」（および「発信子機ＩＤ」）、「送信内容（要求内容も含む）」などが取得される。また、受信処理解析部６３は、要求内容が、発信元の端末への情報送信を要求するものであるのか、指定された宛先の端末への情報送信を要求するものであるのかを確認する。
【００５５】
また、受信処理解析部６３は、複数のアクセスポイント６のうちのどのアクセスポイントを通じて要求が送られてきたかを解析することにより、要求元の端末の位置などを把握することが可能である。
【００５６】
送信情報決定部６４は、受信処理解析部６３の解析結果や参照テーブル６１上の情報などを参照することにより、宛先の端末へ送信すべき送信情報を決定する機能に相当する。例えば、要求内容が発信元の端末への情報送信を要求するものである場合、送信情報決定部６４は、当該要求に付加されている発信子機ＩＤや発信者ＩＤに基づいて、その端末へ送信すべき送信内容、送信内容の形式、送信内容の容量などを決定する。また、送信情報決定部６４は、前記要求元の端末の機種に対応する画面サイズに応じた画像を送信することも決定できる。
【００５７】
一方、要求内容が指定された宛先の端末への情報送信を要求するものである場合、送信情報決定部６４は、送信要求に付加されてくる送信内容（業務連絡など）をそのまま宛先の端末へ送信することを決定する。
【００５８】
送信情報作成部６５は、送信情報決定部６４により決定された結果に基づいて、要求元の端末へ送信すべき情報を作成する機能に相当する。
情報送信処理部６６は、送信情報作成部６５により作成された情報を要求元の端末へ送信する機能に相当する。
【００５９】
次に、図７を参照して、発信元の端末の機種や画面サイズを考慮したサーバ装置５による情報送信形態の例を説明する。
【００６０】
図７（ａ）は、情報送信要求元の端末の機種に合わせて、適切な形式で情報をその端末へ送信する様子を示している。
例えば、端末の機種としてＰＤＡに該当する発信子機ＩＤが付加された情報送信要求がＰＤＡ８から送られてきた場合には、サーバ装置５は、ＰＤＡの能力に合わせた無理のない形式の情報をＰＤＡ８に送信する。
一方、端末の機種としてＰＣに該当する発信子機ＩＤが付加された情報送信要求がＰＣ７から送られてきた場合には、サーバ装置５は、ＰＣの優れた画面表示能力・大容量処理能力を最大限に生かせる形式の情報をＰＣ７に送信する。
【００６１】
図７（ｂ）は、情報送信要求元の端末の画面サイズに合わせた適切な画像情報をその端末へ送信する様子を示している。
例えば、画像サイズをＰＤＡ用に指定した画像の送信要求がＰＤＡ８から送られてきた場合には、サーバ装置５は、規定の画像サイズをＰＤＡ用に変更した画像をＰＤＡ８に送信する。
一方、画像サイズをＰＣ用に指定した画像の送信要求がＰＣ７から送られてきた場合には、サーバ装置５は、規定の画像サイズをＰＣ用に変更した画像をＰＣ７に送信する。
【００６２】
図８は、ある端末から発信者ＩＤ（ユーザＩＤ）が付加された要求がアクセスポイント６を介してサーバ装置５に送信される様子を示している。
【００６３】
この場合、サーバ装置５は、複数のアクセスポイント６のうちのどのアクセスポイントを通じて要求が送られてきたかを解析することにより、要求元の端末の「位置」を把握することが可能である。また、サーバ装置５は、送信されてきた要求に付加されている発信者ＩＤおよび発信子機ＩＤから「発信者」と「端末」とを特定でき、更に、参照テーブル６１を参照することにより発信子機ＩＤから端末の「機種」を特定できる。これにより、サーバ装置５の側では、誰がどの機種のどの端末を何処で使用しているかを把握することが可能となる。
【００６４】
図９は、ＰＤＡ８に備えられるボタン８２を１回押下するだけで、所定のアクセスポイント６’を介してサーバ装置５へ所定の要求を送信する様子を示している。
【００６５】
ボタン８２は、前述の入力部４６（図３）に含まれるものである。前述の第２のモード（ワンタッチ送信モード）が設定されている状態において、上記ボタン８２を押下した場合には、所定のアクセスポイント６’を介してサーバ装置５との接続状態を確立する処理が行われ、所定の要求が自動的にサーバ装置５へ送信される。このようにすると、前述の常時接続状態を維持する第１のモードが設定されている場合に比べ、ＰＤＡ８のバッテリ残量の消耗をより一層抑えることができる。
【００６６】
図１０は、複数の端末のうち、特にＰＣ７とＰＤＡ８とが、サーバ装置５を介して業務連絡を行っている様子を示している。ここで、図１１のフローチャートを参照して、端末間で業務連絡を行う場合の動作の一例を説明する。なお、図１１中の端末Ａおよび端末Ｂは、それぞれＰＣ７およびＰＤＡ８であってもよいし、ＰＤＡ８およびＰＣ７であってもよい。
【００６７】
端末Ａは、宛先端末として端末Ｂが指定された「業務連絡」をサーバ装置へ向けて発信する（ステップＡ１）。サーバ装置は、その「業務連絡」受信すると（ステップＡ２）、当該「業務連絡」を指定された宛先端末である端末Ｂへ向けて発信する（ステップＡ３）。
【００６８】
端末Ｂが上記「業務連絡」を無事に受信した場合には（ステップＡ４）、端末は、受信した旨を示す受信確認信号を発信者ＩＤと共にサーバ装置へ返信する（ステップＡ５）。
【００６９】
サーバ装置は、端末Ｂからの受信確認信号が受信できたか否かを判定する（ステップＡ６）。無事に受信できた場合には（ステップＡ６のＹｅｓ）、端末Ｂへの「業務連絡」の送信が完了したことを示す送信済確認信号を端末Ａへ向けて発信する（ステップＡ７）。これにより、端末Ａは送信済確認信号を受信する（ステップＡ８）。また、サーバ装置は、不要となったデータの削除を行う（ステップＡ９）。
【００７０】
一方、端末Ｂ側のシステムが停止状態になっていた等の理由より、端末Ｂが「業務連絡」を受信しておらず、端末Ｂからの受信確認信号が受信できなかった場合には（ステップＡ６のＮｏ）、その旨を示す信号を端末Ａに向けて発信し、「業務連絡」の送信エラーに対する処置方法を求める。
【００７１】
端末Ａは、「業務連絡」の送信エラーに対する処置を決定する（ステップＡ１０）。「業務連絡」の送信をここで中止する場合、端末Ａは、不要となったデータの削除を行うようサーバ装置へ指示する。一方、中止せずに待機する場合、その旨をサーバ装置へ指示する。これにより、サーバ装置は、「業務連絡」を保持したまま待機する（ステップＡ１１）。
【００７２】
ここで、これまで停止状態にあった端末Ｂのシステムが起動され、端末Ｂからサーバ装置へ発信子機ＩＤが発信された場合（ステップＡ１２）、待機状態にあったサーバ装置は、「業務連絡」を指定された宛先端末である端末Ｂへ向けて再び発信することになる（ステップＡ１３、Ａ３）。
【００７３】
図１２は、端末の機種の応じて、当該端末に送信すべき内容を切り替える様子を示している。
【００７４】
サーバ装置５に備えられる記憶装置には、例えば検査に関する検査データベースが保存されている。この検査データベースには、例えば３種類のデータとして、「検査数値データ」、「画像データ」、および「文字記録データ」が備えられる。
【００７５】
ここで、各端末から、検査データベースに対する情報送信要求がサーバ装置５へ送信されてきた場合、サーバ装置５は、例えば当該要求に付加されている発信子機ＩＤに応じて各端末へ送信すべきデータを決定する。この決定においては、サーバ装置は、前述の参照テーブル６１に記述される機種毎（もしくは発信子機ＩＤ毎）の「送信内容」を参照する。
【００７６】
例えば、発信子機ＩＤがＮｏ．３であるＰＣ７は、優れた画面表示能力・大容量処理能力を有し、上記「検査数値データ」、「画像データ」、「文字記録データ」の全てに対応可能であるため、これらのデータ全てがＰＣ７への「送信内容」とされる。
【００７７】
一方、発信子機ＩＤがＮｏ．２であるＰＤＡ８は、ＰＣほどの処理能力が無いため、情報量の多い「画像データ」を除く、「検査数値データ」および「文字記録データ」がＰＤＡ８への「送信内容」とされる。
【００７８】
サーバ装置は、データを各端末へ送信する際には、例えば、発信子機ＩＤ毎に配信するファイル番号を決め、それらを１つのパッケージにして配信する。
【００７９】
次に、図１３のフローチャートを参照して、サーバ装置５が各端末から情報送信要求を受けた場合の基本動作を説明する。
【００８０】
サーバ装置５は、ある端末から情報を受信すると（ステップＢ１）、その受信情報を解析する（ステップＢ２）。この解析では、要求内容の確認のほか、発信者ＩＤや発信子機ＩＤの有無の確認などが行われる。上記解析の結果、要求が発信元の端末への情報送信要求に該当しない場合は（ステップＢ３のＮｏ）、ステップＢ８へ進む。
【００８１】
要求が発信元の端末への情報送信要求に該当する場合は（ステップＢ３のＹｅｓ）、ステップＢ４以降の処理を行う。すなわち、発信者ＩＤが得られたのであれば（ステップＢ４のＹｅｓ）、参照テーブルを参照し、発信者に対する送信内容を決定する（ステップＢ５）。一方、発信者ＩＤが得られなければ（ステップＢ４のＮｏ）、ステップＢ５の処理は行わない。
【００８２】
また、発信子機ＩＤが得られたのであれば（ステップＢ６のＹｅｓ）、参照テーブルを参照し、発信子機に対する送信形式・送信容量・送信内容などを決定する（ステップＢ７）。一方、発信子機ＩＤが得られなければ（ステップＢ６のＮｏ）、ステップＢ７の処理は行わない。
【００８３】
そして、送信すべき情報をまとめ（ステップＢ８）、当該情報を宛先の端末へ送信する（ステップＢ９）。
【００８４】
このように本実施形態では、いつでもどこでも誰もが使用端末を切り替えられるというユビキタス環境下で、現場での目的に応じて、優れた画面表示能力や大容量の処理能力を有するＰＣと、ＰＣほどの処理能力はないものの手のひらサイズに小型軽量化され携帯性・機動性に優れたＰＤＡとを、システムに支障をきたすことなく有効に使い分けることができる。また、サーバ装置側で端末から送信される要求に付加された発信者ＩＤや発信子機ＩＤから発信者や端末の機種を特定でき、またアクセスポイントを通じて端末の位置を把握できるので、いつ誰がどのような機種の端末を何処で使用しているのかを容易に判別でき、更には、その機種の端末にはどのような表示内容を表示させればよいのか、また、指定されている宛先にはどのような表示内容を送信すればよいのか等を判別することができる。また、ＰＤＡなどに特定にボタンを設けることにより、バッテリ残量の浪費を防止できる。更には、サーバ装置と端末との連携により、端末間の業務連絡を効率よく行うことが可能となる。
【００８５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８６】
【発明の効果】
以上詳記したように本発明によれば、画面表示能力などの性能が異なる複数の異機種の端末を組み合わせてシステムを構成した場合に、各端末に対して適切な情報を提供することが可能となる。
【図面の簡単な説明】
【図１】本発明の一実施形態による情報管理システムの全体構成を示すブロック図。
【図２】サーバ装置およびＰＣに共通する内部構成の一例を示すブロック図。
【図３】ＰＤＡの内部構成の一例を示すブロック図。
【図４】各端末からサーバ装置へ送信される送信情報の構成を示す図。
【図５】ＰＣ側およびＰＤＡ側の通信制御プログラムにより実現される機能の構成を示すブロック図。
【図６】サーバ装置側の通信制御プログラムにより実現される機能の構成を示すブロック図。
【図７】発信元の端末の機種や画面サイズを考慮したサーバ装置による情報送信形態の例を説明するための図。
【図８】ある端末から発信者ＩＤ（ユーザＩＤ）が付加された要求がアクセスポイントを介してサーバ装置に送信される様子を示す図。
【図９】ＰＤＡに備えられるボタンを１回押下するだけで、所定のアクセスポイントを介してサーバ装置へ所定の要求を送信する様子を示す図。
【図１０】ＰＣとＰＤＡとが、サーバ装置を介して業務連絡を行っている様子を示す図。
【図１１】端末間で業務連絡を行う場合の動作の一例を示すフローチャート。
【図１２】端末の機種の応じて、当該端末に送信すべき内容を切り替える様子を示す図。
【図１３】サーバ装置が各端末から情報送信要求を受けた場合の基本動作を示すフローチャート。
【符号の説明】１…ハイブリッド端末システム、２…基幹システム、３…部門システム、４…ＬＡＮ、５…サーバ装置、６…複数のアクセスポイント、７…ＰＣ、８…ＰＤＡ、２１…ＣＰＵ、２２…ノースブリッジ、２３…主メモリ、２４…ビデオコントローラ、２５…表示部、２６…サウスブリッジ、２７…ＨＤＤ、２８…マルチドライブ、２９…有線ＬＡＮコントローラ、３０…無線ＬＡＮコントローラ、３１…ＰＣカードコントローラ、３２…ＢｌｕｅｔｏｏｔｈＴＭコントローラ、３３…ＢＩＯＳ−ＲＯＭ、３４…ＥＣ／ＫＢＣ、３５…電源コントローラ（ＰＳＣ）、３６…バッテリ、３７…キーボード（ＫＢ）、３８…マウス用インタフェース、３９…マウス、４０…Ｉ／Ｏコントローラ、４１…ＣＰＵ、４２…主メモリ、４３…記録媒体、４４…バッテリ、４５…表示部、４６…入力部、４７…カードコントローラ、４８…通信カード、５１…情報読取装置、５２…ＩＤ情報取得部、５３…送信情報作成部、５４…情報送信処理部、５５…情報受信処理部、６１…参照テーブル、６２…情報受信処理部、６３…受信処理解析部、６４…送信情報決定部、６５…送信情報作成部、６６…情報送信処理部、８２…ボタン。
【図１】
2004302848.tif 000003
【図２】
2004302848.tif 000004
【図３】
2004302848.tif 000005
【図４】
2004302848.tif 000006
【図５】
2004302848.tif 000007
【図６】
2004302848.tif 000008
【図７】
2004302848.tif 000009
【図８】
2004302848.tif 000010
【図９】
2004302848.tif 000011
【図１０】
2004302848.tif 000012
【図１１】
2004302848.tif 000013
【図１２】
2004302848.tif 000014
【図１３】
2004302848.tif 000015